(57)【要約】【課題】本発明は、モバイルネットワーク通信における切換に用いる方法と装置を提供し、ユーザーが無線インターフェイス切換により１つのゲートウェイから別のゲートウェイに切り換えたときに、直ちに移動端末と切換前のゲートウェイとの接続を切断し、ネットワーク資源を節約することを可能にする。【解決手段】サーバーであって、無線ネットワークゲートウェイを通じて移動端末と無線通信を行う通信ユニットと、通信ユニットを通じて移動端末からの登録リクエスト情報を受信して、移動端末とネットワークの通信に使用するゲートウェイの切換を実行し、かつ当該登録リクエスト情報が切換前の無線接続の終了を含む場合に、無線接続の終了を指示する信号を生成し、移動端末と切換前のアクセスポイント間の無線接続を解放するために、通信ユニットを通じて切替前のゲートウェイに生成した信号を送信するプロセッシングユニットを含む。【選択図】図１
2007116690.tif 000002
【特許請求の範囲】
【請求項１】
無線通信システムにおけるサーバーであって、
前記無線通信システムは、
ネットワークに接続する前記サーバーと、
複数の無線インターフェースを有する移動端末と、
前記複数の無線インターフェースのそれぞれ一つを経て移動端末と通信する複数のアクセスポイントと、
一方の側が前記サーバーに接続し、反対側が前記複数のアクセスポイントのそれぞれ１つに接続する複数の無線ネットワークゲートウェイ、
を含み、
前記サーバーは、
前記無線ネットワークゲートウェイを通じて前記移動端末と無線通信を行う通信ユニットと、
前記通信ユニットを通じて移動端末からの登録リクエスト情報を受信し、前記移動端末と前記ネットワークの通信に使用する前記無線ネットワークゲートウェイの切換を実行し、かつ前記登録リクエスト情報が切替前の無線接続の終了を含む場合に、前記移動端末と切換前のアクセスポイント間の無線接続を解放するために無線接続の終了を指示する信号を生成し、前記通信ユニットを通じて切替前の無線ネットワークゲートウェイに生成した信号を送信するプロセッシングユニット、
を含む、サーバー。
【請求項２】
前記信号が、前記移動端末と前記無線ネットワークゲートウェイ間のＰＰＰ接続の切断を指示する、請求項１に記載のサーバー。
【請求項３】
前記登録リクエスト情報が、切替前の無線接続の終了を示すために用いる拡張オプションを含む、請求項１に記載のサーバー。
【請求項４】
前記複数の無線ネットワークインターフェースがＣＤＭＡ  ２０００  １ｘ  ＥｖＤＯ、無線ＬＡＮ、ＷＣＤＭＡ、ブルートゥース（Ｂｌｕｅ−ｔｏｏｔｈ）の少なくとも２つを含む、請求項１に記載のサーバー。
【請求項５】
前記サーバーが前記移動端末の登録情報およびその登録がどの無線ネットワークインターフェースを介しておこなわれたかを示す識別子を記憶するテーブルを含み、
前記プロセッシングユニットが、前記テーブルを参照して、前記移動端末のネットワーク接続情報を判断する、請求項１に記載のサーバー。
【請求項６】
無線通信システムにおける移動端末であって、
前記無線通信システムは、
ネットワークに接続するサーバーと、
複数の無線インターフェースを有する前記移動端末と、
前記複数の無線インターフェースのそれぞれ１つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含み、
前記移動端末は、
前記アクセスポイントとの間の接続の切断を指示する拡張オプションを含む登録リクエスト情報を生成し、前記サーバーに送信して、前記複数の無線ネットワークインターフェースの使用中の１つから他の無線ネットワークインターフェースへの切換を実行するプロセシングユニット、
を含む移動端末。
【請求項７】
前記拡張オプションが、前記移動端末と切替前の無線インターフェースに関係する無線ネットワークゲートウェイの間のＰＰＰ接続の切断を指示する、請求項６に記載の移動端末。
【請求項８】
前記複数の無線ネットワークのインターフェースがＣＤＭＡ  ２０００  １ｘ  ＥｖＤＯ、無線ＬＡＮ、ＷＣＤＭＡ、ブルートゥース（Ｂｌｕｅ−ｔｏｏｔｈ）の少なくとも２つ含む、請求項６に記載の移動端末。
【請求項９】
前記移動端末が、自身の登録情報および現在の登録をどの無線ネットワークインターフェースを介して行ったかを示す識別子を記憶するテーブルを有し、
前記プロセッシングユニットが、前記テーブルを参照して現在のネットワーク接続情報を判断する、請求項６に記載の移動端末。
【請求項１０】
無線通信システムにおける無線ネットワークゲートウェイであって、
前記無線通信システムは、
ネットワークに接続する前記サーバーと、
複数の無線インターフェースを有する移動端末と、
前記複数の無線インターフェース中のそれぞれ一つを経て移動端末と通信し、複数のアクセスポイントと、
一方の側が前記サーバーに接続し、反対側が前記複数のアクセスポイントのそれぞれ１つに接続する複数の前記無線ネットワークゲートウェイと、
を含み、
前記無線ネットワークゲートウェイは、
前記サーバーとの通信を行う通信ユニットと、
前記通信ユニットを介して前記サーバーから無線接続終了の指示を受信すると、前記移動端末と前記アクセスポイント間の無線接続を終了させるプロセッシングユニットと、
を含む無線ネットワークゲートウェイ。
【請求項１１】
前記指示が、前記移動端末と前記無線ネットワークゲートウェイ間のＰＰＰ接続の切断を指示する、請求項１０に記載の無線ネットワークゲートウェイ。
【請求項１２】
前記移動端末から受信した登録リクエスト情報が、切替前の無線接続の終了を示す拡張オプションを含む、請求項１０に記載の無線ネットワークゲートウェイ。
【請求項１３】
前記複数の無線ネットワークのインターフェースがＣＤＭＡ  ２０００  １ｘ  ＥｖＤＯ、無線ＬＡＮ、ＷＣＤＭＡ、ブルートゥース（Ｂｌｕｅ−ｔｏｏｔｈ）の少なくとも２つを含む、請求項１０に記載の無線ネットワークゲートウェイ。
【請求項１４】
無線通信システムであって、
ネットワークに接続するサーバーと、
複数の無線インターフェースを有する移動端末と、
前記複数の無線インターフェースのそれぞれ１つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含み、
サーバーは、
前記無線ネットワークゲートウェイを通じて前記移動端末と無線通信を行う通信ユニットと、
前記通信ユニットを通じて移動端末からの登録リクエスト情報を受信して、前記移動端末と前記ネットワークの通信に使用する前記無線ネットワークゲートウェイの切換を実行し、かつ前記登録リクエスト情報が切替前の無線接続の終了を示す場合に、前記移動端末とアクセスポイント間の切換前の無線接続を解放するために無線接続の終了を指示する信号を生成し、前記通信ユニットを通じて切替前の無線ネットワークゲートウェイに生成した信号を送信するプロセッシングユニット、を含み、
前記移動端末は、
使用中の前記サーバーと前記アクセスポイント間の接続の切断を指示する拡張オプションを含む登録リクエスト情報を生成して、前記サーバーに送信し、前記複数の無線ネットワークインターフェースの使用中の１つから他の無線ネットワークインターフェースへの切換を実行するプロセシングユニットを含み、
前記無線ネットワークゲートウェイは、
前記サーバーとの通信を行う通信ユニットと、
前記通信ユニットを介して前記サーバーから無線接続終了の指示を受信した際、前記移動端末と前記アクセスポイント間の無線接続を終了させるプロセッシングユニットを含む、
無線通信システム。
【請求項１５】
前記登録リクエスト情報が、切替前の無線接続の終了を示す拡張オプションを含む、請求項１４に記載の無線通信システム。
【請求項１６】
前記複数の無線ネットワークのインターフェースがＣＤＭＡ  ２０００  １ｘ  ＥｖＤＯ、無線ＬＡＮ、ＷＣＤＭＡ、ブルートゥース（Ｂｌｕｅ−ｔｏｏｔｈ）の少なくとも２つを含む、請求項１４に記載の無線通信システム。
【請求項１７】
無線通信システムにおける移動端末の無線インターフェース切換方法であって、
前記無線通信システムは、
ネットワークに接続するサーバーと、
複数の無線インターフェースを有する移動端末と、
前記複数の無線インターフェースのそれぞれ一つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含み、
前記移動端末が使用する前記無線インターフェイスを変更して、前記サーバーと前記アクセスポイント間の接続の終了を指示する拡張オプションを含む登録リクエスト情報を生成して前記サーバーに送信し、
前記サーバーが前記移動端末からの登録リクエスト情報を受信後、前記移動端末と前記ネットワークの通信に使用する前記無線ネットワークゲートウェイの切換を実行し、かつ当該登録リクエスト情報が前記接続の終了を含む場合に、前記切替前の無線ネットワークゲートウェイに前記無線接続の終了を指示する信号を送信し、
前記無線ネットワークゲートウェイが、前記信号に応答して前記移動端末とのＰＰＰ接続の切断する、
移動端末の無線インターフェース切換方法。
【請求項１８】
前記複数の無線ネットワークのインターフェースがＣＤＭＡ  ２０００  １ｘ  ＥｖＤＯ、無線ＬＡＮ、ＷＣＤＭＡ、ブルートゥース（Ｂｌｕｅ−ｔｏｏｔｈ）の少なくとも２つを含む、請求項１７に記載の方法。
【請求項１９】
ネットワークに接続するサーバーと、
複数の無線インターフェースを有する移動端末と、
前記複数の無線インターフェースのそれぞれ一つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含む無線通信システムにおける前記移動端末における無線インターフェイス切換方法であって、
使用する前記無線インターフェイスを変更し、
変更前の前記アクセスポイントとの接続の終了を指示する拡張オプションを含む登録リクエスト情報を生成して前記サーバーに送信する、
ステップを含む前記移動端末における無線インターフェイス切換方法。
【請求項２０】
無線通信システムに設置されたサーバーにおける無線ネットワークゲートウェイの切換方法の一つであって、
前記無線通信システムは、
ネットワークに接続する前記サーバーと、
複数の無線インターフェースを有する移動端末と、
前記複数の無線インターフェースのそれぞれ一つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含み、
前記移動端末から、前記移動端末と前記アクセスポイントとの接続の終了を指示する拡張オプションを含む登録リクエスト情報を受信し、
前記移動端末と前記ネットワークの通信に使用する前記無線ネットワークゲートウェイの切換を実行し、
前記登録リクエスト情報が前記接続の終了の指示を含む場合、前記切替前の無線ネットワークゲートウェイに前記接続の終了を指示する信号を送信する、
サーバーにおける前記無線無線ネットワークゲートウェイの切換方法。
【請求項２１】
無線通信システムに設置された無線ネットワークゲートウェイにおける処理方法のであって、
ネットワークに接続するサーバーと、
前記無線通信システムは、
複数の無線インターフェースを有する移動端末と、
前記複数の無線インターフェース中のそれぞれ一つを経て移動端末と通信する複数のアクセスポイントと、
一方の側が前記サーバーに接続し、反対側が前記複数のアクセスポイントのそれぞれ１つに接続する複数の無線ネットワークゲートウェイと、
を含み、
前記サーバーから、前記移動端末との無線接続の終了を指示する信号を受信すると、前記移動端末との無線接続を終了させる、
無線ネットワークゲートウェイにおける処理方法。
【発明の詳細な説明】
【技術分野】
【０００１】
本発明はモバイルネットワーク通信技術に関するもので、特にモバイルネットワーク通信における切換の方法と装置に関するものである。
【背景技術】
【０００２】
無線通信システムでは、移動電話のユーザーの必要に応じて利用するモバイルネットワークの切換が行われる。
【０００３】
図１は、無線通信システムの構成例を示す図である。１は情報コンテンツサーバである。２はＩＰネットワークである。３はモバイルＩＰ（ＭＩＰ）のホームエージェントサーバーＨＡである。８は移動端末ＭＳである。４は無線ＬＡＮのゲートウェイＰＤＩＦ（Ｐａｃｋｅｔ  Ｄａｔａ  Ｉｎｔｅｒ−ｗｏｒｋｉｎｇ  Ｆｕｎｃｔｉｏｎ）である。５は無線ＬＡＮサービスプロバイダーにより設置された無線ＬＡＮ（ＷＬＡＮ：Ｗｉｒｅｌｅｓｓ  Ｌｏｃａｌ  Ａｅａ  Ｎｅｔｗｏｒｋ）である。１０は無線ＬＡＮのアクセスポイントである。さらに、６は１ｘＥｖＤＯ（１ｘ  Ｅｖｏｌｕｔｉｏｎ  Ｄａｔａ  Ｏｎｌｙ）ネットワークのゲートウェイＰＤＳＮ（Ｐａｃｋｅｔ  Ｄａｔａ  Ｓｅｒｖｉｃｅ  Ｎｏｄｅ）である。７は１ｘＥｖＤＯサービスプロバイダーにより設置された１ｘＥｖＤＯネットワークである。１３は１ｘＥｖＤＯのアクセスポイントである。１５は固定（有線）ネットワークである。
移動端末８がｌｘＥｖＤＯのアクセスポイント１３から無線ＬＡＮのアクセスポイント１０に切り換える場合、またはそれと逆に切り換える場合、移動端末８はモバイルＩＰ登録情報をホームエージェントＨＡ３に送信するとともに、ターゲットとなるゲートウェイＰＤＩＦ／ＦＡ（Ｆｏｒｅｉｇｎ  Ａｇｅｎｔ）４との間で新たなＰＰＰ（Ｐｏｉｎｔ  ｔｏ  Ｐｏｉｎｔ  Ｐｒｏｔｏｃｏｌ）セッションを確立する。
【０００４】
アメリカ特許出願公開２００４／００８２３３０Ａ（特許文献１）により、無線ＬＡＮ（ＷＬＡＮ）と第３世代（３Ｇ）ネットワーク間においてモバイルＩＰを採用することにより切り換えを保証する方法が提案された。
【特許文献１】アメリカ特許出願公開２００４／００８２３３０Ａ
【発明の開示】
【発明が解決しようとする課題】
【０００５】
先に述べた特許文献で提案された方法では、移動端末が１つのゲートウェイからその他の無線ＬＡＮのゲートウェイに切り換えると、ホームエージェントＨＡにモバイルＩＰ登録情報を送信するとともに、ターゲットとなるゲートウェイＰＤＩＦ／ＦＡの間で新たなＰＰＰセッションが確立される。しかし、この時に切換前のゲートウェイのＰＰＰセッションが引き続き保持され、タイムアウトになるまでクリアされない。そのため、大量な資源が無駄になり、しかもその他の移動端末のアクセスにまで悪影響が及ぶ。さらに重大なのは、それによりユーザーが余計な料金を取られてしまうことである。
ＣＤＭＡ  １ｘ  ＥｖＤＯが無線ＬＡＮへ切り換えられる過程において、移動端末はＰＤＩＦを通じて再度ホームエージェントに登録を行う。しかし、いかにＰＰＰの接続を切断するか、つまり移動端末側で行うのか、それともＰＤＳＮ側で行うのか、という方法については記述されていない。
【０００６】
移動端末側からＰＰＰの接続を切断すると、ＰＤＳＮはホームエージェントに登録抹消（ｄｅｒｅｇｉｓｔｒａｔｉｏｎ）情報を送信する。しかし、その情報がホームエージェントまで到達し、移動端末が新たに無線ＬＡＮを通じてホームエージェントに登録しようとしても、移動端末の登録情報がホームエージェントにより削除され、エラーを起こす可能性がある。
【課題を解決するための手段】
【０００７】
本発明は、モバイルネットワーク通信における切換の方法と装置を提供し、移動端末が１つのゲートウェイから別のゲートウェイに切り換えたときに、直ちに切換前のゲートウェイとの接続を切断し、それによりネットワーク資源を節約することを可能にするものである。
【０００８】
その目的のための無線通信システムのサーバーであって、ネットワークに接続する。無線通信システムは、サーバーと、複数の無線インターフェースが付いた移動端末と、複数の無線インターフェースのそれぞれ一つを経て移動端末と通信する複数のアクセスポイントと、一方の側がサーバーに接続し、反対側が複数のアクセスポイントのそれぞれ１つに接続する複数の無線ネットワークゲートウェイを含む。サーバーは、無線ネットワークゲートウェイを通じてその移動端末と無線通信を行う通信ユニットと、通信ユニットを通じて移動端末からの登録リクエスト情報を受信して、移動端末とネットワークの通信に使用する無線ネットワークゲートウェイの切換を実行し、かつ当該登録リクエスト情報が現在切換前の無線接続の終了を示す場合に、無線接続の終了を指示する信号を生成し、移動端末と切換前のアクセスポイント間の無線接続を解放するためにその通信ユニットを通じて切換前の無線ネットワークゲートウェイに生成した信号を送信する、プロセッシングユニットを含む。
本発明の他の目的、特徴及び利点は添付図面に関する以下の本発明の実施例の記載から明らかになるであろう。
【発明を実施するための最良の形態】
【０００９】
本願の実施例は、図面を参照して記述される。
図１は、ＣＤＭＡ  ｌｘ  ＥｖＤＯネットワーク７と無線ＬＡＮ５の間における切換のネットワークトポロジーを示した図である。本図が示すように、移動端末８はアクセスポイントＡＰ１３とゲートウェイＰＤＳＮ６を通じて、ＣＤＭＡ  １ｘ  ＥｖＤＯネットワーク７に登録する。このゲートウェイＰＤＳＮ６はフォーリンエージェントＦＡの機能を持っている。移動端末８はまたアクセスポイントＡＰ１０、ゲートウェイＰＤＩＦ４を通じて無線ＬＡＮ５に登録することができ、このゲートウェイＰＤＩＦ４もフォーリンエージェント機能をサポートしている。さらに、図に表示されていない認証アカウンティングサーバーＡＡＡがＲａｄｉｕｓサーバーとして、主に移動端末の認証と課金を行う。
本発明におけるネットワークインターフェースは、ＣＤＭＡ  １ｘ  ＥｖＤＯと無線ＬＡＮだけでなく、Ｗ−ＣＤＭＡやブルートゥース（Ｂｌｕｅ−ｔｏｏｔｈ）など各種の無線インターフェースを使用することもできる。
【００１０】
ＣＤＭＡ  ２０００  １ｘ  ＥｖＤＯの制御信号とデータプロセスについては、３ＧＰＰ２（３ｒｄ  Ｇｅｎｅｒａｔｉｏｎ  Ｐａｒｔｎｅｒｓｈｉｐ  Ｐｒｏｊｅｃｔ  ２）のウェブサイトを参考にすることができる。図２は、ＷＬＡＮ側の制御信号プロトコルスタックを示す図である。移動端末はＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標））プロトコルをサポートしており、ＡＡＡサーバーを通じて認証を行う。移動端末のアプリケーション層をサポートするモバイルＩＰプロトコルスタックは、３ＧネットワークとＷＬＡＮ間の切換を行う。無線ＬＡＮ（ＷＬＡＮ）アクセスポイントはレイヤ２のネットワーク装置にすぎず、全ての制御信号とデータフローはＡＰに対してオープンな状態にある。
【００１１】
一方、ゲートウェイＰＤＩＦはＰＰＰｏＥを終了させて、認証をサポートする。なぜならＰＤＩＦはフォーリンエージェントＦＡの機能も持っていて、それはホームエージェントＨＡとの間でモバイルＩＰ情報により通信を行うからである。
【００１２】
図３は、ＷＬＡＮ側のデータフロープロトコルスタックを示す図である。ＰＤＩＦとホームエージェントＨＡ間ではＩＰｉｎＩＰトンネルによりデータが伝送され、最終的に移動端末に到達する。
移動端末が、１ｘ  ＥｖＤＯネットワークから無線ＬＡＮ側に切り換えたとき、ＰＤＳＮと移動端末間のＰＰＰ接続については、移動端末が能動的にＰＰＰ接続を切断しない限り、タイムアウトによりＰＰＰ接続が切断されるまで待機することになる。
本発明では、移動端末からホームエージェントＨＡに送信するモバイルＩＰ登録リクエスト情報ＲＲＱを拡張することにより、現在の移動端末の無線接続を示し、ホームエージェントＨＡにＰＰＰ接続を中断することを要求する。
【００１３】
図４は、Ｃ／Ｗ拡張オプションを含むモバイルＩＰｖ４登録リクエスト情報の概要図である。図が示す情報には、そのタイプ、寿命、ホームアドレス、ホームエージェント、気付アドレス、識別子などの項目及び拡張項目が含まれる。
【００１４】
図５は、本発明の図４に示したモバイルＩｐｖ４登録リクエスト情報のＣ／Ｗ拡張オプションの内容を示す概要図である。図５の中で、「タイプ」５０１とは、Ｃ／Ｗ拡張フィールドのタイプを示し、例えば１４９といった数値で表される。「長さ」５０２は数値の長さを意味し、ここでは１６である。「Ｃ／Ｗ」マークビット５０３は８ビットで、「Ｃ」はＣＤＭＡネットワークを示し、「Ｗ」は無線ＬＡＮを意味しているが、これらに限らずその他のネットワークを示すこともできる。５０６はコマンドフィールドであり「ＰＰＰ切断」は、移動端末がＰＰＰ接続の切断を望んでいることを示している。ＰＰＰ接続の切断が確定され、ホームエージェントＨＡが「ＰＰＰ切断」を含むＣ／Ｗ拡張オプション付登録リクエストを受信した場合、ホームエージェントＨＡはＰＤＳＮにその移動端末に対するＰＰＰ接続を切断することを通知する。ここでの「ＰＰＰ切断」は一つの例に過ぎず、「課金の停止」や「資源の解放」などを他のコマンドを書き込んでもよいし、複数コマンドを書き込んでも良い。
【００１５】
次に、図６に合わせてホームエージェントＨＡの登録テーブルについて説明する。登録テーブルの各レコードはホームアドレスＨｏＡ６０１、着付アドレスＣｏＡ６０２、識別子６０３、寿命６０４を含み、これらは登録されるべき移動端末に属する情報である。登録テーブルの各レコードは、図４に形式が示されたモバイルＩＰｖ４登録リクエストにしたがって登録される。ここでは、モバイルＩＰｖ４の登録テーブルを拡張し、ホームエージェントＨＡへの現在の登録がＣＤＭＡ  ２０００  １ｘ  ＥｖＤＯネットワークを介して行われたか、それとも無線ＬＡＮを介して行われたかを記録する。そのため、登録テーブルにＣ／Ｗフラグ６０５の項目を追加し、「Ｃ」または「Ｗ」という文字を用いてＣＤＭＡ  ２０００  １ｘ  ＥｖＤｏネットワーク（Ｃ）あるいは無線ＬＡＮ（Ｗ）を区別して登録を行う。
【００１６】
図７は、ＣＤＭＡ  ２０００  １ｘ  ＥｖＤＯネットワークと無線ＬＡＮ間の切換（ハンドオーバー）の制御信号プロセスを示すシーケンス図である。まず、移動端末８がゲートウェイＰＤＳＮ６とのＰＰＰ接続を開始する（７０１）。移動端末の識別子ＮＡＩ（Ｎｅｔｗｏｒｋ  Ａｃｃｅｓｓ  Ｉｄｅｎｔｉｆｉｅｒ）に基づき、ゲートウェイＰＤＳＮ６はＡＡＡサーバーの認証を経て、移動端末８にホームアドレスＨｏＡを割り振る（７０２，７０４）。それと同時に、ゲートウェイＰＤＳＮ６が移動端末のホームアドレスＨｏＡ及び自身のＩＰアドレスを使用しホームエージェントＨＡ３に登録を行う（７０３）。このように、対応ノードＣＮ１７（Ｃｏｒｒｅｓｐｏｎｄｅｎｔ  Ｎｏｄｅ、たとえば、図１の情報コンテンツサーバ１）から移動端末８に送信されるデータは、ゲートウェイＰＤＳＮ６とホームエージェントＨＡ間３のモバイルＩＰトンネルを通り移動端末８まで伝送される（７０５）。
【００１７】
移動端末８が無線ＬＡＮ区域に入るに伴い（７０６）、移動端末８はまず無線ＬＡＮアクセスポイントＡＰ１３とネゴシエーションを行う。このネゴシエーションにより、ユーザーは無線ＬＡＮ側の基本的情報を得ることができる。例えば、料金、帯域幅、信号強度とサービス品質などである。移動端末８とゲートウェイＰＤＩＦ１４とのネゴシエーションの後、同一の移動端末ＮＡＩを用いネットワークＰＰＰｏＥアクセス認証を受けるため、移動端末８はＡＡＡサーバー１６から同じホームアドレスＨｏＡを取得する（７０７，７０８，７０９）。
【００１８】
ユーザーが自分の状況に応じて接続するネットワークを変更すると決定した場合（７１０）、例えば、無線ＬＡＮに接続し直した場合、移動端末８はＣ／Ｗ拡張オプションを持つＲＲＱ情報を、無線ＬＡＮのゲートウェイＰＤＩＦ４に送信する（７１１）。ホームエージェントＨＡ３はその情報を受信した後、ホームエージェントＨＡ３内の登録テーブル情報の拡張部分であるネットワーク接続情報Ｃ／Ｗフラグを「Ｃ」から「Ｗ」に変更し（７１２，７１３）、ゲートウェイＰＤＩＦ４を通じてＲＲＰ情報を移動端末８に返送する（７１４，７１５）。その後、ホームエージェントＨＡはＨＡ−ＦＡ（Ｈｏｍｅ  Ａｇｅｎｔ−Ｆｏｒｅｉｇｎ  Ａｇｅｎｔ）情報を送信し、ＲＲＱ情報内のＣ／Ｗ拡張オプション「ＰＰＰ切断」に従って、ＰＰＰ接続を終了するようにゲートウェイＰＤＳＮに通知する（７１６、７１７）。
最後に、データフローはホームエージェントＨＡ３とゲートウェイＰＤＩＦ４間のトンネルを通り、移動端末８に送信される（７１８）。
【００１９】
以下は本発明の各装置の機能ブロック構成を説明するものである。
図８は、移動端末８の機能ブロックを示す図である。移動端末８はデュアルモード端末で、１ｘＥｖＤＯ接続に用いるＥｖＤＯカード８０４と、無線ＬＡＮ接続のＷＬＡＮカード８０５を備えている。ハンドオーバートリガー機能８０３は、ユーザーが切換を行うかどうか、及びどちらの無線接続を採用するかの決定を支援する機能を持つ。モバイルＩＰ  ＭＮ（Ｍｏｖｉｌｂｅ  Ｎｏｄｅ）８０２は、移動端末８のためのモバイルＩＰ機能である。移動端末８もモバイルＩＰのＣ／Ｗ拡張機能８０１をサポートする必要がある。
【００２０】
図９は、ホームエージェントＨＡ３の機能ブロックを示す図である。ホームエージェントの登録テーブルの拡張により、ホームエージェント３は、移動端末８が現在どちらの無線ネットワークに接続しているのか、すなわち、１ｘＥｖＤＯか無線ＬＡＮかの判断ができる。同時に、ホームエージェント３はモバイルＩＰのＣ／Ｗ拡張オプションをサポートしていなくてはならないためＣ／Ｗ拡張機能９０１を有する。モバイルＩＰ  ＨＡ  ９０２は、ホームエージェントＨＡ３のためのモバイルＩＰ機能である。登録テーブル９０３はモバイルＩＰの登録テーブルである。ホームエージェント３のＣ／Ｗ拡張機能９０１は移動端末とＰＤＳＮ間のＰＰＰ接続の切断をゲートウェイＰＤＳＮに指示する。
【００２１】
図１０は、ゲートウェイＰＤＳＮ６の機能ブロックを示す図である。ＰＤＳＮ機能１００４はＰＤＳＮ６の基本的な機能である。基本的な機能以外に、ゲートウェイＰＤＳＮ６はホームエージェントＨＡ３と通信を行い、移動端末８がＣＤＭＡネットワークを介して登録したのか、無線ＬＡＮを介して登録したのかを知るために、Ｃ／Ｗ拡張をサポートするＣ／Ｗ拡張機能１００１を有する必要がある。また、ＨＡ−ＦＡ情報により移動端末８とのＰＰＰ接続を切断するため、ＰＤＳＮ機能１００４はＨＡ−ＦＡ情報もサポートしていなければならない。モバイルＩＰ  ＦＡ機能１００２はＰＤＳＮ６のためのモバイルＩＰ機能であり、登録テーブル１００３はモバイルＩＰの基本的な登録テーブルである。
【００２２】
図１１は、ホームエージェントＨＡ３の制御プロセスを示すフローチャートである。このプロセスは図７のシーケンス７１１から７１６に相当する。ホームエージェントＨＡ３はゲートウェイＰＤＩＦ４を通じてＲＲＱ情報を受信した後（Ｓ１１０１）、まず自身の登録テーブルを更新してから（Ｓ１１０２）、標準的なＲＲＰをゲートウェイＰＤＩＦ４に返送する（Ｓ１１０３）。その後、ホームエージェントＨＡ３はＲＲＱ内のＣ／Ｗ拡張オプションに基づいて、ＰＰＰ接続を中断するようにゲートウェイＰＤＳＮ６に通知するかどうかを決定する（Ｓ１１０４）。もし、Ｃ／Ｗ拡張オプションが「Ｗ」であり、「ＰＰＰ切断」のコマンドを含むならば、ホームエージェントＨＡ３はゲートウェイＰＤＳＮ６にＰＰＰ切断を通知する（Ｓ１１０５）。
【００２３】
図１２は、ゲートウェイＰＤＳＮ６の制御プロセスを示す図である。このプロセスは図７のシーケンス７１６から７１７に相当する。ゲートウェイＰＤＳＮ６はホームエージェントＨＡ３から通知を受信した後（Ｓ１２０１）、受信した通知を基にネットワーク資源を削除するかどうかを判断する（Ｓ１２０２）。例えばネットワーク資源がＰＰＰ接続の場合、「はい」（ネットワーク資源削除）であれば、ＰＰＰ接続を停止する（Ｓ１２０３）。その情報が無効であれば、ゲートウェイＰＤＳＮ６はその情報を無視する。
【００２４】
図１３は、移動端末８の制御プロセスを示す図である。このプロセスは図７のシーケンス７１１に相当する。移動端末８がＲＲＱ情報を送信するとき（Ｓ１３０１）、移動端末８は、まず現在の接続しているのは無線ＬＡＮかそれとも３Ｇネットワークかを、たとえばハンドオーバートリガー機能によって判断する（Ｓ１３０２）。無線ＬＡＮに接続されていれば、Ｃ／Ｗ拡張オプションに「Ｗ」とセットし（Ｓ１３０４）、ＣＤＭＡネットワーク（３Ｇネットワーク）に接続されていれば、この拡張オプションに「Ｃ」とセットする（Ｓ１３０３）。さらにＣ／Ｗ拡張オプション内に資源開放（たとえばＰＰＰ切断）などのコマンドをセットする。移動端末８はこのＣ／Ｗ拡張オプションとともにＲＲＱを送信する。Ｃ／Ｗ拡張オプション付のＲＲＱはハンドオーバーの前に移動端末８に割り付けられていたネットワーク資源（たとえばＰＰＰ接続）を開放（削除）するように働く。
【００２５】
図１４は、ホームエージェントＨＡ３の構成を示すブロック図である。ホームエージェントＨＡ３には、通信ユニット１４０１とプロセッシングユニット１４０３、およびデータベースユニット１４０２が含まれる。その中で、通信ユニット１４０１は移動端末８からの切換時の登録リクエスト情報を受信し、１つの無線インターフェースに対応する無線ネットワークゲートウェイから別の１つの無線インターフェースに対応する無線ネットワークゲートウェイへの切換を実行する。登録リクエスト情報は、切換前の移動端末とアクセスポイント間の接続の終了を明示する拡張オプションをもっている。プロセシングユニット１４０３による処理には、基本処理１４０６とＰＰＰ  Ｃ／Ｗ処理１４０７が含まれる。通信ユニット１４０１が情報を受信すると、ＰＰＰ  Ｃ／Ｗ処理１４０７は信号を生成し、移動端末との無線接続を停止するように切換前の無線ネットワークゲートウェイに通知する。したがって、プロセシングユニット１４０３はＰＰＰ接続停止リクエストを処理し、登録テーブルにＣ／Ｗ接続の識別などを追加することが出来る。データベースユニット１４０２は基本登録テーブル１４０４とＣ／Ｗ拡張テーブル１４０５を有しており、基本登録テーブル１４０４は一般の通信データを記憶する。図６が示すホームエージェントＨＡの登録テーブルは、基本登録テーブル１４０４とＣ／Ｗ拡張テーブル１４０５に記憶される。
【００２６】
図１５は、ゲートウェイ４と６の構成を示すブロック図である。ゲートウェイには、通信ユニット１５０１とプロセシングユニット１５０３、およびデータベースユニット１５０２が含まれており、各ユニットの機能はホームエージェントＨＡ３の各同名ユニットの機能に類似しているが、加えて、プロセシングユニット１５０３はＰＰＰ接続停止の処理を実行し、切換前に移動端末に割り振られていたネットワーク資源を削除することができる。
【００２７】
図１６は、移動端末８の構成を示すブロック図である。移動端末８には、通信ユニット１６０１とプロセシングユニット１６０２、およびデータベースユニット１６０３が含まれており、各ユニットの機能はホームエージェントＨＡ３の各同名ユニットの機能に類似している。加えて、プロセシングユニット１６０４は、モバイルＩＰ登録リクエストの中に、ＰＰＰセッションのような切換前に移動端末に割り振られていたネットワーク資源の削除リクエストを含むコマンドを加えたり、またホームエージェントの登録テーブルに記録するための接続ネットワークの識別子を加えることが出来る。
【００２８】
上記記載は実施例についてなされたが、本発明はそれに限らず、本発明の精神と添付の請求の範囲の範囲内で種々の変更および修正をすることができることは当業者に明らかである。
【図面の簡単な説明】
【００２９】
【図１】無線通信システムにおける各システム間の切換の構成例を示すブロック図である。
【図２】本発明の無線ＬＡＮ（ＷＬＡＮ）のモバイルＩＰ信号プロセスを示す図である。
【図３】本発明の無線ＬＡＮ（ＷＬＡＮ）のデータフローを示す図である。
【図４】本発明のＣ／Ｗの拡張オプションを含むモバイルＩＰｖ４登録リクエスト情報を示す概要図である。
【図５】本発明のモバイルＩＰｖ４登録リクエスト情報中のＣ／Ｗ拡張オプションの内容を示す概要図である。
【図６】本発明のホームエージェントの登録テーブルの構成図である。
【図７】ＣＤＭＡ２０００  １ｘ  ＥｖＤＯネットワークと無線ＬＡＮの間における切換の信号プロセスを示すシーケンス図である。
【図８】移動端末の基本機能を示すブロック図である。
【図９】ホームエージェントの基本機能を示すブロック図である。
【図１０】ＰＤＳＮの基本機能を示すブロック図である。
【図１１】ホームエージェントがＰＤＩＦのＲＲＱ情報を受信した後の制御プロセスのフローチャート図である。
【図１２】ＰＤＳＮがＲＲＰを受信した後の制御プロセスのフローチャート図である。
【図１３】移動端末がＲＲＰを送信する制御プロセスのフローチャート図である。
【図１４】ホームエージェントＨＡの構成を示すブロック図である。
【図１５】無線ゲートウェイの構成を示すブロック図である。
【図１６】移動端末の構成を示すブロック図である。
【符号の説明】
【００３０】
１  情報コンテンツサーバー
２  ＩＰネットワーク
３  ホームエージェント（ＨＡ）サーバー
４  ゲートウェイＰＤＩＦ
５  無線ＬＡＮ
６  ゲートウェイＰＤＳＮ／ＦＡ
７  １ｘＥｖＤＯ
８  移動端末（ＭＳ）
１０  アクセスポイント（ＡＰ）
【図１】
2007116690.tif 000003
【図２】
2007116690.tif 000004
【図３】
2007116690.tif 000005
【図４】
2007116690.tif 000006
【図５】
2007116690.tif 000007
【図６】
2007116690.tif 000008
【図７】
2007116690.tif 000009
【図８】
2007116690.tif 000010
【図９】
2007116690.tif 000011
【図１０】
2007116690.tif 000012
【図１１】
2007116690.tif 000013
【図１２】
2007116690.tif 000014
【図１３】
2007116690.tif 000015
【図１４】
2007116690.tif 000016
【図１５】
2007116690.tif 000017
【図１６】
2007116690.tif 000018